(57)【要約】【課題】  ゴーグルの装着面を清潔に保つために交換可能であるとともに、交換のための着脱が容易なゴーグル装着部交換シートを提供することにある。【解決手段】  被検者の顔面に装着固定するゴーグルの装着面に着脱可能なゴーグル装着部交換シートであって、被検者の両眼各々の外周縁に当接する眼部外周縁当接部と被検者の鼻梁及びその両側部に当接する鼻当接部を一体に備えている。また、前記鼻当接部は、鼻梁と当接する中央部近傍のみが眼部外周縁当接部と連結するように、眼部外周縁当接部と鼻当接部の境界に沿って設けた切り込み部を備えてなる。【選択図】  図２
2005070554.tif 000002
【特許請求の範囲】
【請求項１】
被検者の顔面に装着固定するゴーグルの装着面に着脱可能なゴーグル装着部交換シートであって、
被検者の両眼各々の外周縁に当接する眼部外周縁当接部と被検者の鼻梁及びその両側部に当接する鼻当接部を一体に備えたことを特徴とするゴーグル装着部交換シート。
【請求項２】
前記鼻当接部は、鼻梁と当接する中央部近傍のみが眼部外周縁当接部と連結するように、眼部外周縁当接部と鼻当接部の境界に沿って設けた切り込み部を有することを特徴とする請求項１に記載のゴーグル装着部交換シート。
【請求項３】
前記切り込み部は、眼部外周縁当接部と鼻当接部が外縁部近傍で一部分が連結している破断用連結部を有することを特徴とする請求項２に記載のゴーグル装着部交換シート。
【請求項４】
前記ゴーグルの装着面は、スポンジが貼着されたものであるとともに、ゴーグル装着部交換シート本体のゴーグルとの当接面側は不織布からなるものであることを特徴とする請求項１もしくは２のいずれかに記載のゴーグル装着部交換シート。
【発明の詳細な説明】
【技術分野】
【０００１】
本発明は、ゴーグル装着部交換シートに関するものであり、詳しくは、眼振計や表示装置に用いられるゴーグルの顔面への装着面に着脱可能なゴーグル装着部交換シートに関するものである。
【背景技術】
【０００２】
従来のゴーグル装着部交換シートとしては、図４に示すような、被検者の頭部もしくは顔面に装着して画像を観察する頭部装着型もしくは眼鏡型の表示装置２０に用いるゴーグル装着部交換シートであって、図示しない観察光学ユニット及び画像表示ユニットを保持するフレームに対して着脱可能であって、フレームを観察者の頭部もしくは顔面に装着するクッションパッド２１および鼻当て２２に各々装着するゴーグル装着部交換シート部材２３、２４が知られている。（特許文献１）
かかるゴーグル装着部交換シート部材２３、２４は、表示装置２０の使用時に、クッションパッド２１および鼻当て２２に装着し、使用後取り外してごみ箱に捨てることにより、表示装置２０を清潔に保つことができる。
【０００３】
しかし、上記のような従来のゴーグル装着部交換シート部材２３、２４は、装着部材を構成するクッションパッド２１及び鼻当て２２の各々に分離して装着するものであり、装着や交換に手間がかる。そのため、眼振計のような複数の被検者が順番に使用するものにおいて、上記のようなゴーグル装着部交換シートを用いた場合には、効率の良い表示装置２０の使用ができないという問題が生じる。
【特許文献１】特開平１１−３８３５０号公報
【発明の開示】
【発明が解決しようとする課題】
【０００４】
本発明は、このような点に鑑みてなされたものであり、その目的とするところは、ゴーグルの装着面を清潔に保つために交換可能であるとともに、交換のための着脱が容易なゴーグル装着部交換シートを提供することである。
【課題を解決するための手段】
【０００５】
上記した課題を解決するために、本発明の請求項１に係るゴーグル装着部交換シートは、被検者の顔面に装着固定するゴーグルの装着面に着脱可能なゴーグル装着部交換シートであって、被検者の両眼各々の外周縁に当接する眼部外周縁当接部と被検者の鼻梁及びその両側部に当接する鼻当接部を一体に備えたことを特徴とする。
【０００６】
本発明の請求項２に係るゴーグル装着部交換シートは、前記鼻当接部が鼻梁と当接する中央部近傍のみが眼部外周縁当接部と連結するように、眼部外周縁当接部と鼻当接部の境界に沿って設けた切り込み部を有することを特徴とする。
【０００７】
本発明の請求項３に係るゴーグル装着部交換シートは、
前記切り込み部は、眼部外周縁当接部と鼻当接部が外縁部近傍で一部分が連結している破断用連結部を有することを特徴とする。
【０００８】
本発明の請求項４に係るゴーグル装着部交換シートは、前記ゴーグルの装着面が、スポンジが貼着されたものであるとともに、ゴーグル装着部交換シートのゴーグルとの当接面側が不織布からなるものであることを特徴とする。
【発明の効果】
【０００９】
本発明の請求項１に係るゴーグル装着部交換シートによると、被検者の両眼各々の外周縁に当接する眼部外周縁当接部と被検者の鼻に当接する鼻当接部が一体に備わったものであるので、個々に着脱する必要がなくなり、ゴーグルへの装着が容易になる。そのため、複数の被検者が順番に使用する眼振計のようなものに、このようなゴーグル装着部交換シートを用いた場合には、効率の良い装置の使用が可能となる。
【００１０】
この請求項２に係るゴーグル装着部交換シートによると、請求項１の効果に加えて、切り込み部が備えられていることにより、ゴーグル装着部交換シートの眼部外周縁当接部を顔面に沿って装着する際に鼻当接部が隆起して被検者の鼻梁及びその両側部全体を覆うように当接することができるので、ゴーグルの装着面の清浄度を有効に保つことができる。
【００１１】
この請求項３に係るゴーグル装着部交換シートによると、請求項２の効果に加えて、眼部外周延当接部と鼻当接部が外縁部で連結されて、まとまりよく一体に形成されているので、装着開始の際、取扱や装着場所の位置決めが容易となる上に、破断用連結部が微小部分であるため切り離しが容易であり、装着の際に破断用連結部を破断して眼部外周延当接部と鼻当接部を切り離せば、鼻当接部を鼻全体に容易に当接させることができる。
【００１２】
この請求項４に係るゴーグル装着部交換シートによると、スポンジ面と不織布を構成する繊維が絡み合って接合強度が向上するため、ゴーグル装着部交換シートがゴーグルの装着面から剥がれ難くなり、操作性が向上する。
【発明を実施するための最良の形態】
【００１３】
つぎに、本発明を図に示す実施形態に基づいて詳細に説明する。
【００１４】
本発明の実施形態におけるの概略図を図１乃至図３に示す。なお、本実施形態では眼振計に用いられるゴーグルについて説明を行なうが、本願発明はこれに限定されるものではない。
【００１５】
図１乃至図３において、１はゴーグル装着部交換シート本体、２は眼部外周縁当接部、２ａは眼部外周縁３に設けた抜孔部、３は鼻当接部、４は切り込み部、５は破断用連結部、６は鼻当接部隆起用開口部、１０はゴーグル本体、１１はゴーグル取付用ベルト、Ｈは被検者である。
【００１６】
図１は、ゴーグル本体を被験者の顔面に装着した場合の概略図である。図１に示すように、ゴーグル本体１０は、被検者Ｈの目の動きに影響を及ぼす周囲の光が侵入しないように、被検者Ｈの眼部周辺を覆うように装着され、ゴーグル取付用ベルト１１により被検者Ｈの顔面に固定されている。また、ゴーグル本体１０の装着面には、装着性及び装着感の向上のため、図示しないスポンジが貼着されている。スポンジは、肌にやさしく、軽量で弾力性がある等、人体への装着に適したウレタンスポンジが好適に用いられる。
【００１７】
図２は、本実施形態の概略を示す正面図である。図２に示すように、ゴーグル装着部交換シート本体１は、眼部外周縁当接部２及び鼻当接部３が一体となって形成されたシート状部材である。ゴーグル装着部交換シート本体１の形状は、ゴーグル本体１０の装着部形状に対応した形状となる。ゴーグル装着部交換シート本体１として不織布を用いた場合は、スポンジとの密着性がよくなり、ゴーグル装着部交換シート本体１の装着性が良好となる。
また、不織布の材質としては、繊維のけばだちが多いものを用いると、スポンジと絡み合って簡単には剥がれなくなるため、ゴーグル装着部交換シート本体１の装着性が一層良好となる。特にスポンジがウレタンスポンジの場合は、ポリエステル不織布やナイロン不織布が、好適に用いられる。
【００１８】
眼部外周縁当接部２は、アイマスクのような外縁形状に眼部を挿通させる抜穴部２ａを有するものであって、装着時に眼部の外周を覆うような形状に形成されており、鼻当接部３は、装着時に鼻梁及びその両端部を覆うような形状に形成されている。
【００１９】
また、眼部外周縁当接部２と鼻当接部３との境界に沿って、外縁部４ａから鼻梁部近傍４ｂに至るまで、細い略同一幅の切り込み部４が設けられている。すなわち、眼部外周縁当接部２と鼻当接部３とは鼻梁部近傍４ｂで連結されている。かかる切り込み部４を備えることにより、ゴーグル装着部交換シート本体１の眼部外周縁当接部２を顔面に沿って装着する際に、鼻当接部３が隆起して被検者Ｈの鼻梁及びその両側部全体を覆うように当接することができるので、装着感が良好である上に、顔面がゴーグルの装着面に直接接触することがなくなるため、ゴーグル装着部交換シートを取り換えることにより、常に清潔な装着面を保つことができる。                                                      
【００２０】
また、眼部外周延当接部２と鼻当接部３が中央の一箇所でしか連結していない状態で、ゴーグル装着部交換シート本体１を装着する場合には、鼻当接部３の両端が安定しないため、装着に手間取る場合が生じうる。そのため、切り込み部４の外縁部４ａの近傍に、眼部外周延当接部２と鼻当接部３が微小部分連結している破断用連結部５を設けるのが好ましい。破断用連結部５を設けることにより、眼部外周延当接部２と鼻当接部３が外縁部で連結されて、まとまりよく一体に形成されているので、装着開始の際、取扱や装着場所の位置決めが容易となる。さらに、破断用連結部５が微小部分であるため切り離しが容易であり、装着の際に破断用連結部５を破断して眼部外周延当接部２と鼻当接部３を切り離せば、鼻当接部３を鼻全体に容易に当接させることができる。
【００２１】
また、鼻梁部近傍のみを残すように、眼部外周縁当接部２と鼻当接部３の境界に沿って切り取り線を設け、当該切り取り線を切り取ることにより切り込み部４を形成するようにしてもよい。この場合も、眼部外周縁当接部２と鼻当接部３がまとまりよく一体に形成されているので、装着開始の際、取扱や装着場所の位置決めが容易となる。さらに、切り照り線に沿って切り取り容易であり、装着の際に切り取り線に沿って眼部外周縁当接部２と鼻当接部３を切り離せば、ゴーグル装着部交換シート本体１の眼部外周縁当接部２を顔面に沿って装着する際に鼻当接部３が隆起して被検者の鼻梁及びその両側部全体を覆うように当接することができる。
【００２２】
図３は、本発明のゴーグル装着部交換シートにおいて、別の実施形態の概略を示す正面図である。図３に示す場合は、図２に示される切り込み部４に代えて、眼部外周縁当接部２と鼻当接部３との境界に沿って、鼻梁部近傍４ｂから外縁部近傍に向かうに従って開口幅が小さくなる鼻当接部隆起用開口部６を設けている。この場合は、眼部外周縁当接部２を顔面に沿って装着する際に、上記のような眼部外周縁当接部２と鼻当接部３との分離をすることなく、鼻当接部３が隆起して被検者Ｈの鼻梁及びその両側部全体を覆うように当接することができるので、装着時の作業性がさらに向上する。
【図面の簡単な説明】
【００２３】
【図１】ゴーグル本体を被験者の顔面に装着した場合の概略図である。
【図２】本発明のゴーグル装着部交換シートにおいて、実施形態の概略を示す正面図である。
【図３】本発明のゴーグル装着部交換シートにおいて、別の実施形態の概略を示す正面図である。
【図４】従来例の概略を示す斜視図である。
【符号の説明】
【００２４】
１    ゴーグル装着部交換シート本体
２    眼部外周縁当接部
３    鼻当接部
４    切り込み部
５    破断用連結部
６    鼻当接部隆起用開口部
【図１】
2005070554.tif 000003
【図２】
2005070554.tif 000004
【図３】
2005070554.tif 000005
【図４】
2005070554.tif 000006